(57)【要約】【課題】面内方向の変位を効果的に吸収することができるとともに、防煙区画が形成される壁間に隙間が生じる事態を防止できる防煙たれ壁の構造を提供すること。【解決手段】防煙たれ壁５は、天井１に上端部である上枠１２が固定され、壁２と壁２の間に防煙区画を形成する防煙パネル１０と、壁２と壁２の間における防煙パネルが配置されていない隙間を塞ぐ閉塞部材７０，８０と、を備え、閉塞部材７０，８０は、防煙パネル１０に配置され、隙間における横方向の一側から他側に向かって延出する不燃シート７１，８１と、防煙パネル１０ｂ又は壁２に配置され、隙間における横方向の他側から一側に向かって延出し、不燃シート７１，８１をその厚み方向で挟む挟持側不燃面材７２，８２と、を有する。【選択図】図３
2018015146.tif 000002
【特許請求の範囲】
【請求項１】
天井に上端部が固定され、壁と壁の間に防煙区画を形成する防煙面材と、
前記壁と前記壁の間における前記防煙面材が配置されていない隙間を塞ぐ閉塞部材と、を備え、
前記閉塞部材は、
前記防煙面材又は前記壁に配置され、隙間における横方向の一側から他側に向かって延出する不燃面材と、
前記防煙面材又は前記壁に配置され、隙間における横方向の他側から一側に向かって延出し、前記不燃面材をその厚み方向で挟む挟持側不燃面材と、を有する防煙たれ壁。
【請求項２】
前記不燃面材は、可撓性を有する不燃シートであり、
前記挟持側不燃面材は、可撓性を有する２枚の不燃シートにより前記不燃面材を挟むように構成される請求項１に記載の防煙たれ壁。
【請求項３】
前記挟持側不燃面材としての前記２枚の不燃シート及び前記不燃面材としての前記不燃シートは、挟持状態を維持しつつ、それぞれ移動可能に構成される請求項２に記載の防煙たれ壁。
【請求項４】
前記壁に固定され、前記不燃面材又は前記挟持側不燃面材の何れかを保持する保持部材を更に備え、
前記保持部材に対応する前記挟持側不燃面材又は前記不燃面材が前記防煙面材に固定され、
前記不燃面材を前記挟持側不燃面材が挟んだ状態で前記防煙面材と前記壁の隙間を塞ぐ請求項１から３の何れかに記載の防煙たれ壁。
【請求項５】
前記不燃面材は、一側の前記防煙面材に固定され、
前記挟持側不燃面材は、前記不燃面材が固定される前記防煙面材に対して隙間をあけて配置される他側の前記防煙面材に固定され、
前記不燃面材を前記挟持側不燃面材が挟んだ状態で一側の前記防煙面材と他側の前記防煙面材の隙間を塞ぐ請求項１から３の何れかに記載の防煙たれ壁。
【発明の詳細な説明】
【技術分野】
【０００１】
本発明は、防煙区画を形成する防煙たれ壁に関する。
【背景技術】
【０００２】
従来、煙の流動を防ぐために建物内部に設置される防煙たれ壁において、地震等の振動を吸収するための部材を備えるものが知られている。この種の防煙たれ壁を開示するものとして例えば特許文献１〜３がある。
【０００３】
特許文献１には、不燃材又はこの不燃材を設けた保持フレームは、取付フレームに吊り下げられて支持され、不燃材又はこの不燃材を設けた保持フレームの面外方向の揺れに対して追随する構成とされた防煙垂壁について記載されている。また、保持フレームの両側部には、建物の壁面に向かって延在する袖片がそれぞれ形成され、これら袖片は、建物の壁部と保持フレームの側端部との間に取付けられた緩衝壁の側端部を覆うとともに、隣接する保持フレーム相互の間に、面内変形を吸収するために形成された隙間を覆う機能を有することが記載されている。
【０００４】
特許文献２には、複数枚のパネル材が天井面の下方に連続して突出するようにして取り付けられて防煙壁が形成されてなる固定式防煙壁において、壁面の側端部側に配されたパネル材は、建築物の壁面に固定せずにパネル材と建築物の壁面との間隙に弾性緩衝材を介在させてパネル材と建築物の壁面とを当接状態となした固定式防煙壁について記載されている。特許文献３には、ガラス吊り金具は、板ガラスの下端部を支える受け金物と、吊り元と、これらを連結する棒状連結部とを有し、板ガラスの下端部と受け金物との間隙にはガラス底部保護ゴムが設けられ、一方、板ガラスの側端面部と棒状連結部との間隙にはガラス側部保護ゴムが設けられてなる防煙垂れ壁について記載されている。
【先行技術文献】
【特許文献】
【０００５】
【特許文献１】特開２００７−８２７５９号公報
【特許文献２】特開平１０−６６７３７号公報
【特許文献３】特開平９−３２８８３８号公報
【発明の概要】
【発明が解決しようとする課題】
【０００６】
ガラスの破損等を考慮して不燃材で構成される防煙シートを用いる場合がある。防煙シートは、その可撓性により、地震等の振動によって面外方向や面内方向の変位が生じた場合にガラス等に比べて歪みや撓みが生じ易くなる。
【０００７】
特許文献１から３等に開示される技術には、振動を吸収する点が記載されているものの、面内方向に大きく変動した場合に防煙シートに歪みや撓みが生じたり、また、面内方向の一側に大きく変位したときに防煙シートと壁間に隙間が形成されたりするおそれもあった。このように、従来技術には、面内方向の振動をより効果的に吸収するという点で改善の余地があった。
【０００８】
本発明は、面内方向の変位を効果的に吸収することができるとともに、防煙区画が形成される壁間に隙間が生じる事態を防止できる防煙たれ壁の構造を提供することを目的とする。
【課題を解決するための手段】
【０００９】
本発明は、天井（例えば、後述の天井１）に上端部（例えば、後述の上枠１２）が固定され、壁（例えば、後述の壁２）と壁（例えば、後述の壁２）の間に防煙区画を形成する防煙面材（例えば、後述の防煙パネル１０）と、前記壁と前記壁の間における前記防煙面材が配置されていない隙間を塞ぐ閉塞部材（例えば、後述の閉塞部材７０，８０）と、を備え、前記閉塞部材は、前記防煙面材又は前記壁に配置され、隙間における横方向の一側から他側に向かって延出する不燃面材（例えば、後述の不燃シート７１，８１）と、前記防煙面材又は前記壁に配置され、隙間における横方向の他側から一側に向かって延出し、前記不燃面材をその厚み方向で挟む挟持側不燃面材（例えば、後述の挟持側不燃面材７２，８２，３７２）と、を有する防煙たれ壁に関する。
【００１０】
前記不燃面材は、可撓性を有する不燃シート（例えば、後述の不燃シート７１，８１）であり、前記挟持側不燃面材は、可撓性を有する２枚の不燃シート（例えば、後述の不燃シート７２１，７２２、不燃シート３７５，３７６）により前記不燃面材を挟むように構成されることが好ましい。
【００１１】
前記挟持側不燃面材としての前記２枚の不燃シート及び前記不燃面材としての前記不燃シートは、挟持状態を維持しつつ、それぞれ移動可能に構成されることが好ましい。
【００１２】
前記壁に固定され、前記不燃面材又は前記挟持側不燃面材の何れかを保持する保持部材（例えば、後述の保持部材５０）を更に備え、前記保持部材に対応する前記挟持側不燃面材又は前記不燃面材が前記防煙面材に固定され、前記不燃面材を前記挟持側不燃面材が挟んだ状態で前記防煙面材と前記壁の隙間を塞ぐことが好ましい。
【００１３】
前記不燃面材は、一側の前記防煙面材（例えば、後述の防煙パネル１０ａ）に固定され、前記挟持側不燃面材は、前記不燃面材が固定される前記防煙面材に対して隙間をあけて配置される他側の前記防煙面材（例えば、後述の防煙パネル１０ｂ）に固定され、前記不燃面材を前記挟持側不燃面材が挟んだ状態で一側の前記防煙面材と他側の前記防煙面材の隙間を塞ぐことが好ましい。
【発明の効果】
【００１４】
本発明によれば、面内方向の変位を効果的に吸収することができるとともに、防煙区画が形成される壁間に隙間が生じる事態を防止できる防煙たれ壁の構造を実現できる。
【図面の簡単な説明】
【００１５】
【図１】本発明の一実施形態に係る防煙たれ壁を示す正面図である。
【図２】本実施形態の防煙たれ壁における壁側の閉塞部材及びその近傍を示す拡大正面図である。
【図３】第１実施形態の防煙たれ壁における壁側の閉塞部材及びその近傍を示す横断面図である。
【図４】第１実施形態の不燃シートが挟持側不燃面材に挟み込まれた状態を示す拡大横断面図である。
【図５】第１実施形態の防煙たれ壁におけるパネル間の閉塞部材及びその近傍を示す拡大正面図である。
【図６】第１実施形態の防煙たれ壁におけるパネル間の閉塞部材及びその近傍を示す横断面図である。
【図７】第２実施形態の防煙たれ壁における壁側の閉塞部材及びその近傍を示す横断面図である。
【図８】第２実施形態の防煙たれ壁におけるパネル間の閉塞部材及びその近傍を示す横断面図である。
【図９】変形例の不燃面材が挟持側不燃面材に挟み込まれた状態を示す拡大横断面図である。
【発明を実施するための形態】
【００１６】
以下、本発明の好ましい実施形態について図面を参照しながら説明する。なお、本明細書において、「面内方向」とは、防煙たれ壁の面内方向であり、上下方向、左右方向、いわゆる見付方向等を含む方向のことを意味する。また、「面外方向」とは、前後方向、厚み方向、いわゆる見込方向等を含む面の外側を向く方向のことを意味する。
【００１７】
図１は、本発明の一実施形態に係る防煙たれ壁５を示す正面図である。本実施形態の防煙たれ壁５は、建物内部の天井１と壁２の間に防煙区画を形成するものである。
【００１８】
図１に示すように、防煙たれ壁５は、複数の防煙パネル１０と、天井枠２１と、パネル用縦枠２２と、下部カバー２３と、角パイプ６０と、左右の壁２側の閉塞部材７０と、パネル間の閉塞部材８０と、を備える。
【００１９】
図２は、本実施形態の防煙たれ壁５における壁２側の閉塞部材７０及びその近傍を示す拡大正面図である。図２に示すように、防煙パネル１０は、枠部材としてのパネルフレーム１１と、パネルフレーム１１に保持される防煙シート１５と、を備える。
【００２０】
パネルフレーム１１は、上枠１２、下枠１３及び左右両側の縦枠１４が矩形に枠組みされて構成される。本実施形態では、縦枠１４と上枠１２及び縦枠１４と上枠１２がネジ（図示省略）によってそれぞれ連結固定される。
【００２１】
防煙シート１５は、透明又は半透明な不燃性の材料により構成される不燃材である。防煙シート１５としては、例えば、ガラスクロスに塩ビ又は合成樹脂コーティングしたものが主に用いられ、不燃材料であることが必要となる。
【００２２】
防煙パネル１０は、設置される壁間距離に応じてサイズや枚数が設定される。本実施形態では、横方向のサイズが同じ２枚の防煙パネル１０ａ，ｂが配置されている。
【００２３】
天井枠２１は、その断面形状が、長手方向で見たときに下部が開放された略Ｃ字状に形成されており、ネジ９０等により天井１に固定される。
【００２４】
天井枠２１の内側には、防煙パネル１０の上枠１２が差し込まれる。本実施形態では、ネジ９１により複数個所で天井枠２１に対して上枠１２が固定される。
【００２５】
パネル用縦枠２２は、その内側に防煙パネル１０の縦枠１４が差し込まれる。パネル用縦枠２２の横方向を向く側面には、角パイプ６０がネジ９５により連結固定される。
【００２６】
下部カバー２３は、防煙パネル１０の下枠１３に取り付けられる。本実施形態の下部カバー２３は、防煙パネル１０の下枠１３を内側に挿入した状態でネジ９１により固定される。
【００２７】
本実施形態では、パネル用縦枠２２は、天井枠２１及び下部カバー２３の内側に差し込まれた状態でネジ（図示省略）によって天井枠２１及び下部カバー２３のそれぞれに固定される。
【００２８】
次に、防煙パネル１０と壁２の間の隙間を塞ぐ壁２側の閉塞部材７０について説明する。図３は、第１実施形態の防煙たれ壁５における壁２側の閉塞部材７０を示す横断面図である。図４は、第１実施形態の不燃シート７１が挟持側不燃面材７２に挟み込まれた状態を示す拡大横断面図である。なお、以下の説明では、左右方向の壁２側の閉塞部材７０を例として説明するが、左右方向の他側の壁２側の閉塞部材７０も同様の構造となっている。
【００２９】
図３及び図４に示すように、壁２側の閉塞部材７０は、防煙パネル１０側に固定される不燃シート７１と、壁２に固定される保持部材５０と、保持部材５０に保持される挟持側不燃面材７２と、を備える。
【００３０】
不燃シート７１は、防煙シート１５と同じ透明又は半透明な不燃材により構成される。本実施形態の不燃シート７１は、角パイプ６０における防煙パネル１０の厚み方向の一側（図３の紙面上側）を向く面にシート固定具６１を介して固定される。なお、本実施形態では、パネルフレーム１１に防煙シート１５が固定される面を正面側とすると、厚み方向の一側は背面側と表現することもできる。
【００３１】
シート固定具６１は、角パイプ６０の長手方向に沿って延びる細長の板状に構成される。不燃シート７１は、平面視において角パイプ６０から見付方向の壁２側に向かって延出する。
【００３２】
保持部材５０は、角パイプを２つ横方向に並べて構成されており、隣接する角パイプの間に挟持側不燃面材７２が挟持される。
【００３３】
挟持側不燃面材７２は、２枚の不燃シート７２１，７２２によって構成される。不燃シート７２１，７２２は、何れも防煙シート１５と同じ材料で構成される。
【００３４】
図４に示すように、不燃シート７１は、挟持側不燃面材７２を構成する２枚の不燃シート７２１，７２２によって不燃シート７１の厚み方向（見込方向）で挟まれた状態で保持される。不燃シート７１及び不燃シート７２１，７２２は、何れも透明又は半透明な材料で構成されているので、重なった部分も光を透過する構成となっている。
【００３５】
防煙パネル１０から延出する不燃シート７１が挟持側不燃面材７２の不燃シート７２１，７２２に挟まれることにより、防煙パネル１０と壁２の間の隙間が閉塞される。
【００３６】
振動発生時に防煙パネル１０が面内方向に変位したとしても、不燃シート７１が不燃シート７２１，７２２の間でその位置を変えるだけなので、防煙パネル１０に影響を与えることなく、振動による変位を吸収できる。
【００３７】
振動発生時に防煙パネル１０が面外方向に変位したとしても、不燃シート７１及び不燃シート７２１，７２２は、何れも可撓性を有するシート状に構成されているので、面外方向への振動を壁２に伝達することなく、閉塞部材７０で吸収することができる。振動後は、不燃シート７１及び不燃シート７２１，７２２の復元力によって元の位置に戻るので防煙パネル１０と壁２の間に隙間が生じることもない。
【００３８】
次に、防煙パネル１０と防煙パネル１０の間の隙間を塞ぐパネル間の閉塞部材８０について説明する。
【００３９】
図５は、第１実施形態の防煙たれ壁５におけるパネル間の閉塞部材８０及びその近傍を示す拡大正面図である。図５に示すように、閉塞部材８０は、左右方向一側（左側）の防煙パネル１０の角パイプ６０に固定される不燃シート８１と、左右方向他側（右側）の防煙パネル１０の角パイプ６０に固定される挟持側不燃面材８２と、を備える。
【００４０】
図６は、第１実施形態の防煙たれ壁５におけるパネル間の閉塞部材８０及びその近傍を示す横断面図である。図６に示すように、不燃シート８１は、左側の防煙パネル１０に固定される角パイプ６０にシート固定具６１を介して固定される。不燃シート８１は、角パイプ６０における防煙パネル１０の厚み方向の一側（図６の紙面上側）を向く側の面に固定されており、右側に向かって延出している。
【００４１】
挟持側不燃面材８２は、右側の防煙パネル１０に固定される角パイプ６０にシート固定具６１を介して固定される。挟持側不燃面材８２は、２枚の不燃シート８２１，８２２から構成される。挟持側不燃面材８２は、角パイプ６０における防煙パネル１０の厚み方向の一側（図６の紙面上側）を向く面に固定されており、左側に向かって延出している。
【００４２】
不燃シート８１は、挟持側不燃面材８２を構成する２枚の不燃シート８２１，８２２によって挟まれた状態となっている。挟持側不燃面材８２は、不燃シート８１をその厚み方向で挟み込んでおり、壁側の閉塞部材７０で説明した図４と同様の位置関係となっており、左側の防煙パネル１０と右側の防煙パネル１０の間の隙間は、不燃シート８１及び挟持側不燃面材８２によって塞がれている。また、不燃シート８１及び不燃シート８２１，８２２は、何れも透明又は半透明な材料で構成されているので、重なった部分も光を透過する構成となっている。
【００４３】
以上説明した第１実施形態の防煙たれ壁５によれば、以下のような効果を奏する。
防煙たれ壁５は、天井１に上端部である上枠１２が固定され、壁２と壁２の間に防煙区画を形成する防煙パネル１０と、壁２と壁２の間における防煙パネルが配置されていない隙間を塞ぐ閉塞部材７０，８０と、を備え、閉塞部材７０，８０は、防煙パネル１０に配置され、隙間における横方向の一側から他側に向かって延出する不燃シート７１，８１と、防煙パネル１０ｂ又は壁２に配置され、隙間における横方向の他側から一側に向かって延出し、不燃シート７１，８１をその厚み方向で挟む挟持側不燃面材７２，８２と、を有する。
【００４４】
これにより、面内方向で振動が生じても、不燃シート７１，８１が挟持側不燃面材７２，８２の間を移動することで面内方向の変位を吸収することができ、防煙シート１５に歪みや撓みが生じ難くできる。また、壁２が傾いていたとしても、その傾きを挟持側不燃面材７２，８２が不燃シート７１，８１を挟み込む量で吸収できるので、取付位置の調整も容易である。
【００４５】
本実施形態の不燃シート７１，８１は、可撓性を有し、挟持側不燃面材７２，８２は、可撓性を有する２枚の不燃シート７２１，７２２により不燃シート７１を挟み、不燃シート８２１，８２２により不燃シート８１を挟むように構成される。
【００４６】
これにより、面外方向の変位が生じて防煙パネル１０が一時的に面外方向の一側に傾いたとしても、可撓性を有する不燃シート７１，８１及び挟持側不燃面材７２，８２の不燃シート７２１，７２２，８２１，８２２の柔軟性により、その面外方向の変位を大きく吸収して壁２に変位が伝達されることをより効果的に防止ができる。
【００４７】
本実施形態では、挟持側不燃面材７２としての２枚の不燃シート７２１，７２２及び不燃シート７１は、挟持状態を維持しつつ、それぞれ移動可能に構成される。同様に、挟持側不燃面材８２としての２枚の不燃シート８２１，８２２及び不燃シート８１は、挟持状態を維持しつつ、それぞれ移動可能に構成される。
【００４８】
このように、本実施形態では、不燃シート７１（不燃シート８１）と２枚の不燃シート７２１，７２２（不燃シート８２１，８２２）が固定されているわけでなく、移動が可能となっている。即ち、閉塞部材７０，８０は、不燃シート７１，８１と該不燃シート７１，８１を挟持する挟持側不燃面材７２，８２（２枚の不燃シート７２１，７２２、２枚の不燃シート８２１，８２２）が、挟持した、もしくは挟持された範囲（部分）においても移動可能に構成されているので、面内方向及び面外方向の変位を効果的に吸収することができるのである。
【００４９】
本実施形態では、壁２に固定され、挟持側不燃面材７２を保持する保持部材５０を更に備え、保持部材５０に対応する不燃シート７１が防煙パネル１０に固定され、不燃シート７１を挟持側不燃面材７２が挟んだ状態で防煙パネル１０と壁２の隙間を塞ぐ。
【００５０】
これにより、壁２と防煙パネル１０の間の隙間に防煙区画を形成しつつ、面内方向の変位を効果的に吸収することができる。壁２側に変位が伝達されないので、防煙シート１５の歪みや撓みの発生も効果的に防止できる。本実施形態では、不燃シート７１及び挟持側不燃面材７２の両方が可撓性を有するので、面外方向の変位も効果的に吸収することができる。
【００５１】
本実施形態では、不燃シート８１は、一側の防煙パネル１０ａに固定され、挟持側不燃面材８２は、不燃シート８１が固定される防煙パネル１０ａに対して隙間をあけて配置される他側の防煙パネル１０ｂに固定され、不燃シート８１を挟持側不燃面材８２が挟んだ状態で一側の防煙パネル１０ａと他側の防煙パネル１０ｂの隙間を塞ぐ。
【００５２】
これにより、防煙パネル１０ａと防煙パネル１０ｂの間についても、防煙区画を形成しつつ、面内方向の変位を効果的に吸収することができる。壁２と壁２の間でも変位が吸収されるようになるので、防煙シート１５の歪みや撓みの発生もより一層効果的に防止できる。本実施形態では、不燃シート８１及び挟持側不燃面材８２の両方が可撓性を有するので、面外方向の変位も効果的に吸収することができる。
【００５３】
次に、第１実施形態の構成と異なる別実施形態について説明する。なお、以下の説明において、既に説明した構成と同様のものには同じ符号を付してその説明を省略する場合がある。
【００５４】
第２実施形態の防煙たれ壁２０５は、第１実施形態の構成から角パイプ６０を省略したものである。図７は、第２実施形態の防煙たれ壁２０５における壁２側の閉塞部材２７０及びその近傍を示す横断面図である。図８は、第２実施形態の防煙たれ壁２０５におけるパネル間の閉塞部材２８０及びその近傍を示す横断面図である。
【００５５】
図７に示すように、壁２側の閉塞部材２７０が備える不燃シート７１は、防煙パネル１０のパネル用縦枠２２にシート固定具２６１を介して固定される。なお、挟持側不燃面材８２の構成は、第１実施形態と同様である。
【００５６】
図８に示すように、パネル間の閉塞部材２８０においても、防煙パネル１０ａの右側の縦枠１４が差し込まれるパネル用縦枠２２にシート固定具２６１によって不燃シート８１が固定される。同様に、防煙パネル１０ａの左側の縦枠１４が差し込まれるパネル用縦枠２２にシート固定具２６１によって挟持側不燃面材８２が固定される。
【００５７】
以上説明した第２実施形態においても、第１実施形態と同様の効果を奏する。
【００５８】
上記実施形態では、左右方向（見付方向）の長さが同じものを２枚用いて挟持側不燃面材を構成しているが、挟持側不燃面材の構成は適宜することができる。次に、挟持側不燃面材の変形例について説明する。
【００５９】
図９は、変形例の不燃シート７１が挟持側不燃面材３７２に挟み込まれた状態を示す拡大横断面図である。図９に示すように、挟持側不燃面材３７２は、見込方向の一側に位置する不燃シート３７５に比べ厚み方向（見込方向）の他側に位置する不燃シート３７６の長さが長くなるように構成される。これにより、不燃シート３７５における不燃シート３７６より短くなっている部分から不燃シート７１を差し込むことができ、不燃シート３７５と不燃シート３７６の間に不燃シート７１を差し込む作業をスムーズに行うことができる。
【００６０】
以上、本発明の好ましい実施形態について説明したが、本発明は、上述の実施形態に制限されるものではなく、適宜変更が可能である。例えば、挟持側不燃面材を防煙パネル側に配置し、保持部材を介して壁側に不燃面材を配置することもできる。
【００６１】
上記実施形態では、不燃面材及び挟持側不燃面材の両方を不燃シートで構成したが、不燃材であればよく、この構成に限定されない。不燃面材及び挟持側不燃面材に金属を用いてバネ材等によって面外方向の変位を吸収する構成とすることもできる。
【００６２】
上記実施形態では、防煙たれ壁５が、壁２側の閉塞部材７０及びパネル間の閉塞部材８０の両方を備える構成であるが、何れか一方のみを備える構成とすることもできる。
【符号の説明】
【００６３】
１  天井
２  壁
５，２０５  防煙たれ壁
１０  防煙パネル（防煙面材）
１２  上枠（上端部）
５０  保持部材
７０，８０  閉塞部材
７１，８１  不燃シート（不燃面材）
７２，８２，３７２  挟持側不燃面材
７２１，７２２  ２枚の不燃シート
３７５，３７６  ２枚の不燃シート
【図１】
2018015146.tif 000003
【図２】
2018015146.tif 000004
【図３】
2018015146.tif 000005
【図４】
2018015146.tif 000006
【図５】
2018015146.tif 000007
【図６】
2018015146.tif 000008
【図７】
2018015146.tif 000009
【図８】
2018015146.tif 000010
【図９】
2018015146.tif 000011